(57)【要約】【課題】  屋上緑化などで雨水タンク設置する時は地上または地下タンク設置のため、新規に場所の確保が必要となる、雨水を屋上に上げる電力も屋上が高ければ高いほど送水ポンプ容量が大きくなってしまう。【解決手段】  屋上表面よりすぐ下の竪樋に雨水取水継手を設けて、その横に雨水貯留センサー付き容器より、屋上設置ポンプで雨水を屋上雨水タンク送水出来れば、送水ポンプ小型で済む、雨水タンクの設置する場所も屋上表面を利用が可能となる。【選択図】  図２
2006283535.tif 000002
【特許請求の範囲】
【請求項１】
屋上や屋根に降る雨を地上に流下させている、竪樋の途中に雨水取水継手を入れて、その竪樋の横に、雨水貯留センサー付き容器を竪樋か壁に固定させ、雨水取水継手と雨水貯留センサー付き容器との間は連絡管により接続されている、その容器中には水位センサー内蔵され、満水の時には満水センサーのスイッチが入り、送水ポンプに電気信号送り送水ポンプ動作して雨水貯留センサー付き容器の雨水を、屋上に設置された雨水タンクに送水する、屋上の雨水タンクが満水状態になると送水ポンプの電気を断となり、送水ポンプは停止する、また送水ポンプが動作中であっても雨水貯留センサー付き容器が空になると、空センサーのスイッチが入り送水ポンプを停止させる構成により、雨水取水継手より上に雨水タンクの設置を可能にしたことを特徴とする雨水貯留センサー付き容器。
【発明の詳細な説明】
【技術分野】
【０００１】  本発明は、屋上表面に降った雨を、屋上設置の雨水タンクに貯留するめの、雨水の回収容器に関する。
【背景技術】
【０００２】  従来の雨水タンクの貯留方法は、雨水取水継手を竪樋の途中に入れて（特願２００２ー１９７９０９）雨水取水継手の出口側にホースを接続させ、ホースの先を雨水タンクに接続して、雨水取水継手より自然流下させて雨水タンクに貯留する、この場合雨水取水継手より常に雨水タンクの設置は下側に置くことになる、雨水取水継手より上側に雨水タンクを設置することは不可能であった。
【発明の開示】
【発明が解決しようとする課題】
【０００３】  前記の雨水取水継手を利用して、雨水取水継手より下側に雨水タンクの設置であったが、
本発明は、雨水取継手より上側に雨水タンクの設置を可能にすることを提案する。
【課題を解決するため手段】
【０００４】  本発明は、上記目的を達成するために、屋上や屋根に降る雨を地上に流下させている、竪樋の途中に雨水取水継手を入れて、その竪樋の横に、雨水貯留センサー付き容器を竪樋か壁に固定させ、雨水取水継手と雨水貯留センサー付き容器との間は連絡管により接続されている、その容器中には水位センサー内蔵され、満水の時には満水センサーのスイッチが入り、送水ポンプに電気信号送り送水ポンプ動作して雨水貯留センサー付き容器の雨水を、屋上に設置された雨水タンクに送水する、屋上の雨水タンクが満水状態になると送水ポンプは停止する、また送水ポンプが動作中であっても雨水貯留センサー付き容器が空になると、空センセーのスイッチが入り送水ポンプを停止させる構成により、雨水取水継手より上に雨水タンクの設置を可能にしたことにより上記の課題を解決した。
【発明の効果】
【０００５】  上述したように、屋上に雨水タンクを設置が出来れば、散水する場所と同じレベルに雨水タンクがあるため、散水するポンプが小型で消費電力が少なくする効果がでる。
【発明を実施するための最良の形態】
【０００６】  以下、本発明の実施の形態を図１〜３に基づいて説明する。
図１は屋上の雨水タンクとポンプ配置図を示す。
図１には、屋上雨水タンク１２と、送水ポンプ１５及び散水ポンプ１６が設置されて、ポンプにはポンプ制御ケーブル２４は竪樋５の中を下から上に配線されていき、送水ポンプ１５、散水ポンプ１６及び屋上雨水タンク１２の雨水タンク水位計２６に接続されています、【０００７】  図２は屋上と竪樋及び雨水貯留センサー付き容器断面図を示す。竪樋５には（特願２００２−１９７９０９）雨水取水継手７を竪樋５の途中取付する、
屋上表面３１に降った雨は、屋上雨といカバー２８を通り雨水は竪樋５の中を流下して、竪樋５の途中にあります雨どいスカート２７の内側面にそって流下して、雨水取水継手７中に雨水は流入して、Ｖ字溝３１に雨水は溜まります、雨水取水継手７から外側向かって連絡管８よりＶ字溝３１の雨水は出ていく、その先は連絡管８と一体となってます、雨水貯留センサー付き容器１に入ります、この容器のセンサーが動作してない時はこの容器は満水になり、Ｖ字溝３１も満水になりますと、次の雨水はＶ字溝内側カベ３２が低くなっており、ここからオーバーフローして、竪樋５の中に流下して行くため、雨水取水継手７より竪樋５の外側にオーバーフローすることはない。【０００８】  雨水貯留センサー付き容器１を動作させるには室内に設置されます制御装置１１の電源入れます、雨水貯留センサー付き容器１は満水に成りますと、満水センサー２が感知して、雨水貯留容器水位計２２が動作し、屋上設置のポンプ制御ケーブル２４で送水ポンプ１５に通電され送水ポンプ１５は吸い上げ管６の先端部より雨水を、屋上雨水タンク１２へ送水管２９より雨水送水する、これにより下側にある雨水貯留センサー付き容器１雨水を上にある屋上雨水タンク１２に送水が可能となります。【０００９】  雨水貯留センサー付き容器１が空になつた時、空センサー３が感知して、雨水貯留容器水位計２２が動作して、送水ポンプ１５の通電を断にして送水ポンプ１５の運転を止めます。【００１０】屋上雨水タンク１２が満水状態になりますと、雨水タンク満水センサー１３が感知して、雨水タンク水位計２６は送水ポンプ１５の通電を断にして、送水ポンプ１５の運転を止めます。【００１１】  屋上雨水タンク１２が空になった状態になりますと、雨水タンク空センサー１４が感知して、雨水タンク水位計２６は、制御装置ケーブル２５通して制御装置１１に信号を送り制御装置１１は、屋上雨水タンク１２が空になってことを表示灯を点灯させることが出来ます。【００１２】  屋上設備の運転が必要のない時は、制御装置１１を断にすることも出来ます、雨水貯留センサー付き容器１の連絡管止め栓９回して雨水の流入を止めて、雨水貯留センサー容器１の、容器底部排水栓１０を開けて雨水貯留センサー付き容器１を空にすることが出来ます、この時屋上表面３１に降った雨は竪樋５を通り、雨水取継手７を通り、雨水は下側の下水管に流下していきます。【００１３】  図３は取水継手と雨水タンク設置図示す。
取水継手７より雨水タンク２０は下側に設置され、取水継手７と雨水タンク２０をホース３０により接続され、ホース３０の中を雨水は流下して雨水タンク２０に入ります、雨水タンク２０が満水になりますとオーバフローは取水継手７よりおこないます、これは取水継手７と雨水タンク２０が水平に設置されますと可能となります。
【図面の簡単な説明】
【００１４】
【図１】  屋上の雨水タンクとポンプ配置図
【図２】  屋上と竪樋及び雨水貯留センサー付き容器断面図
【図３】  取水継手と雨水タンク設置図
【符号の説明】
【００１５】１．雨水貯留センサー付き容器
２．満水センサー
３．空センサー
４．取付けバンド
５．竪樋
６．吸い上げ管
７．雨水取水継手
８．連絡管
９．連絡管止め栓
１０．容器底部排水栓
１１．制御装置
１２．屋上雨水タンク
１３．雨水タンク満水センサー
１４．雨水タンク空センサー
１５．送水ポンプ
１６．散水ポンプ
１７．散水管
２０．雨水タンク
２１．ＡＣ１００Ｖプラグ
２２．雨水貯留容器水位計
２４．ポンプ制御ケーブル
２５．制御装置ケーブル
２６．雨水タンク水位計
２７．雨どいスカート
２８．屋上雨といカバー
２９．送水管
３１．Ｖ字溝
３２．Ｖ字溝内側カベ
【図１】
2006283535.tif 000003
【図２】
2006283535.tif 000004
【図３】
2006283535.tif 000005